Podtech/llm-jp-corpus-v4-ja_patent huggingface dataset:
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
開口量が段階的に変化する絞り手段を備えた撮影レンズを介して入射する光を電気信号に変換する撮像手段と、
前記撮像手段の撮像感度および電子シャッタ速度と、前記絞り手段を制御し、動画撮影時に、１フレーム周期内で、前記撮像手段の露光時間と、前記絞り手段を動作させる絞り駆動時間とを排他的に割り当てる制御手段と、
を具備したことを特徴とする撮影装置。
【請求項２】
請求項１記載の撮影装置において、
前記制御手段は、前記１フレーム周期と前記露光時間との差である空き時間に前記絞り駆動時間を割り当て、
前記空き時間が、前記絞り手段の所定量の前記開口量を変化させるために必要な前記絞り駆動時間を割り当て可能な長さとなるように、前記撮像手段の前記撮像感度および前記電子シャッタ速度の少なくとも一方を制御して前記露光時間を変化させることを特徴とする撮影装置。
【請求項３】
請求項２記載の撮影装置において、
前記制御手段は、前記空き時間が前記絞り駆動時間を割り当て可能な長さとなるように前記撮像手段の前記撮像感度および前記電子シャッタ速度の少なくとも一方を制御する際に、前記絞り手段の前記開口量を絞る方向に制御する場合は前記撮像感度を上げるように制御し、前記絞り手段の前記開口量を開く方向に制御する場合は前記電子シャッタ速度を大きくするように制御することを特徴とする撮影装置。
【請求項４】
請求項１から請求項３のいずれか１項に記載の撮影装置において、
前記撮像手段は、前記１フレーム周期内での露光の開始タイミングと終了タイミングが異なる複数の画素列より構成され、前記複数の画素列の最初の露光開始から最後の露光終了の期間を前記露光時間とすることを特徴とする撮影装置。
【請求項５】
請求項２から請求項４のいずれか１項に記載の撮影装置において、
前記撮影レンズが交換可能に装着されるように構成され、前記撮影レンズの内部に前記絞り手段が所定量の開口を変化させることに要する駆動時間を記憶する記憶手段を有し、
前記制御手段は、前記記憶手段から前記駆動時間を取得して前記絞り駆動時間を算出することを特徴とする撮影装置。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
ＣＰＵのクロック周波数の第１クロックを固定振動子により発生させる発振回路と、
前記第１クロックより低い周波数の第２クロックを出力するサンプリングクロック回路と、
前記第２クロックを用いて前記第１クロックの周期をカウントし、前記第１クロックの発振が安定したか否かを判定し、ＣＰＵクロック供給許可信号を出力するサンプリング回路と、
前記第２クロックの周期をカウントすることにより決定される所定の期間内において、前記第１クロックの発振異常が発生したか否かを判定する異常確認回路と、
を備えるマイクロコンピュータ。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
コンパレータ機能とＡ／Ｄ変換機能の切り替えが可能なＡ／Ｄ変換装置であって、
入力された入力アナログ電圧を保持するサンプルホールド回路と、
前記コンパレータ機能における比較判定用の閾値に対応するデジタル値を保存する逐次変換レジスタと、
前記逐次変換レジスタが保存するデジタル値に応じたアナログ電圧を生成するＤ／Ａ変換器と、
前記サンプルホールド回路が出力するアナログ電圧と、前記Ｄ／Ａ変換器から得られるアナログ電圧とを比較し比較結果を出力する比較器と、
前記比較結果に基づいてカウントされたカウント数に応じて判定結果を出力する比較結果カウンタと、
前記判定結果に基づいて、前記コンパレータ機能から前記Ａ／Ｄ変換機能へ移行するための制御を行う制御回路と、を備え、
前記逐次変換レジスタは、前記Ａ／Ｄ変換機能動作時には、前記サンプルホールド回路にて保持されたアナログ電圧をデジタル値に逐次変換するＡ／Ｄ変換処理を行うＡ／Ｄ変換装置。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
電子増倍部を有する撮像素子と、
前記撮像素子を制御するためのタイミング信号を発生させるタイミング信号発生手段と、
前記撮像素子から出力される信号を用いて所定のデジタル映像信号を出力するデジタル信号処理手段と、
前記タイミング信号発生手段と前記デジタル信号処理手段を制御する制御手段とを有し、
前記タイミング信号発生手段は、
前記制御手段からの信号により、前記撮像素子の垂直方向の複数ラインを混合して読み出すインターレース駆動モードと、前記撮像素子の全画素を独立に順次読み出すノンインターレース駆動モードの２つの駆動モードを切り替え、
前記デジタル信号処理手段は、
前記制御手段からの信号により、前記タイミング信号発生手段のモード切り替えに応じて信号処理の内容を切り替え、
前記制御手段は、
被写体の明るさに関する情報を保持し、前記被写体の明るさが明るいときはインターレース駆動モードとなり、前記被写体の明るさが暗いときはノンインターレース駆動モードとなるように前記タイミング信号発生手段を制御する
ことを特徴とする撮像装置。
【請求項２】
前記撮像素子から出力される信号を増幅して出力するアナログ信号処理手段をさらに有し、
前記制御手段は、
前記デジタル信号処理手段の出力を用いて撮像画像の明るさの評価値を取得し、前記評価値が所定の範囲内に収まるように前記アナログ信号処理手段のアナログ利得、及び前記タイミング信号発生手段を介して決定される露光時間及び電子増倍の増倍率の少なくとも一つを制御し、前記アナログ利得、前記露光時間、及び前記電子増倍の増倍率の少なくとも一つの制御値を用いて求めた指標値に応じて前記タイミング制御手段の駆動モードを切り替える
ことを特徴とする請求項１に記載の撮像装置。
【請求項３】
前記撮像素子は、
画素ごとに異なる色フィルタを具備し、かつ少なくとも４種類以上の補色の色フィルタを有することを特徴とする
請求項１又は２に記載の撮像装置。
【請求項４】
前記撮像素子は、
水平転送部を有し、前記インターレース駆動モードでは、垂直転送を１水平期間につき２回行うことで、前記水平転送部内で垂直方向の２ラインを混合すること
を特徴とする
請求項１乃至３のいずれかに記載の撮像装置。
【請求項５】
前記デジタル信号処理手段は、
インターレース信号またはノンインターレース信号として入力される信号をインターレース信号のフォーマットに変換して前処理信号を出力する前処理手段と、
前記前処理信号を処理して輝度信号と色差信号を生成する輝度色差信号生成手段を有し、
前記前処理手段は、
前記タイミング信号発生手段の駆動モードがインターレース駆動モードのときは入力信号をそのまま出力し、
前記タイミング信号発生手段の駆動モードがノンインターレース駆動モードのときは入力信号をデジタル処理によって２ライン混合してインターレース形式で出力する
ことを特徴とする請求項１乃至４のいずれかに記載の撮像装置。
【手続補正２】
【補正対象書類名】明細書
【補正対象項目名】００１４
【補正方法】変更
【補正の内容】
【００１４】
本発明の撮像装置は、
電子増倍部を有する撮像素子と、
前記撮像素子を制御するためのタイミング信号を発生させるタイミング信号発生手段と、
前記撮像素子から出力される信号を用いて所定のデジタル映像信号を出力するデジタル信号処理手段と、
前記タイミング信号発生手段と前記デジタル信号処理手段を制御する制御手段とを有し、
前記タイミング信号発生手段は、
前記制御手段からの信号により、前記撮像素子の垂直方向の複数ラインを混合して読み出すインターレース駆動モードと、前記撮像素子の全画素を独立に順次読み出すノンインターレース駆動モードの２つの駆動モードを切り替え、
前記デジタル信号処理手段は、
前記制御手段からの信号により、前記タイミング信号発生手段のモード切り替えに応じて信号処理の内容を切り替え、
前記制御手段は、
被写体の明るさに関する情報を保持し、前記被写体の明るさが明るいときはインターレース駆動モードとなり、前記被写体の明るさが暗いときはノンインターレース駆動モードとなるように前記タイミング信号発生手段を制御する
ことを特徴とする。
【手続補正書】
【提出日】平成24年4月3日(2012.4.3)
【手続補正１】
【補正対象書類名】特許請求の範囲
【補正対象項目名】請求項１
【補正方法】変更
【補正の内容】
【請求項１】
細長い袋状のエアセルをベッドの長手方向と直交する向きに寝かせた状態でベッドの長手方向に沿って複数本並設したエアマットと、
前記エアマットに設けられた前記エアマットの水平面に対する傾斜を感知する傾斜感知手段と、
前記傾斜感知手段に連結され、前記傾斜感知手段によって前記エアマットの水平面に対する傾斜角が予め定めた所定角度に達したことが感知されたときに、前記エアセルを所定内圧に制御する内圧調整手段と、
を具備することを特徴とするエアマット装置。
【手続補正２】
【補正対象書類名】明細書
【補正対象項目名】００１１
【補正方法】変更
【補正の内容】
【００１１】
上述の課題に対応するため、本発明は、以下の技術的手段を講じている。
即ち、請求項１記載の発明は、細長い袋状のエアセルをベッドの長手方向と直交する向きに寝かせた状態でベッドの長手方向に沿って複数本並設したエアマットと、前記エアマットに設けられた前記エアマットの水平面に対する傾斜を感知する傾斜感知手段と、前記傾斜感知手段に連結され、前記傾斜感知手段によって前記エアマットの水平面に対する傾斜角が予め定めた所定角度に達したことが感知されたときに、前記エアセルを所定内圧に制御する内圧調整手段とを具備することを特徴とするエアマット装置である。
【手続補正書】
【提出日】平成24年3月2日(2012.3.2)
【手続補正１】
【補正対象書類名】明細書
【補正対象項目名】００２３
【補正方法】変更
【補正の内容】
【００２３】
本発明によれば、クロック信号を計数するカウンタの値を大当り等の判定に用いられる乱数値とする遊技機において、ノイズにより誤った乱数値が記憶されるのを防止し遊技球の入賞に基づいてラッチされたカウンタの値を確実に遊技制御で使用できるようにすることが可能となる。また、不正行為を困難にすることができるという効果がある。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
第１の記録媒体から動画データと第１の音楽データを再生する第１の再生手段と、
装着された第２の記録媒体から第２の音楽データを再生する第２の再生手段と、
動画データと音楽データを出力する出力手段と、
前記第１の記録媒体から再生された動画データと第１の音楽データとを前記出力手段により出力しているときに、前記第２の記録媒体が装着されたことに応じて、前記第２の記録媒体から第２の音楽データを再生するように、前記第２の再生手段を制御し、前記第１の音楽データに代えて前記第２の音楽データを出力するように、前記出力手段を制御する制御手段とを備えることを特徴とする再生装置。
【請求項２】
前記制御手段は、前記第１の音楽データに代えて前記第２の音楽データを出力した場合、前記第１の記録媒体からの前記第１の音楽データの再生を停止するように、前記第１の再生手段を制御することを特徴とする請求項１に記載の再生装置。
【請求項３】
前記第１の再生手段は複数のクリップの動画データを前記第１の記録媒体から再生し、前記制御手段は、前記第１の記録媒体から再生された動画データと第１の音楽データを前記出力手段により出力しているときに、前記第２の記録媒体が装着されたことに応じて、前記動画データのクリップの切り替わりのタイミングに従って、前記第１の音楽データから前記第２の音楽データに切り替えて出力するように、前記出力手段を制御することを特徴とする請求項１または２に記載の再生装置。
【請求項４】
前記出力手段は、前記第１の記録媒体から再生された第１の音楽データと、前記第２の記録媒体から再生された第２の音楽データとを記憶するメモリを有し、前記メモリに記憶された第１の音楽データと第２の音楽データの何れかを選択して出力することを特徴とする請求項１から３の何れか１項に記載の再生装置。
【請求項５】
前記制御手段は、前記第１の記録媒体から再生された動画データと第１の音楽データとを前記出力手段により出力しているときに、新たに装着された第２の記録媒体に音楽データが記憶されていない場合、継続して前記第１の音楽データを前記第１の記録媒体から再生するように前記第１の再生手段を制御し、継続して前記第１の音楽データを出力するように前記出力手段を制御することを特徴とする請求項１から４の何れか１項に記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００１
【補正方法】変更
【補正の内容】
【０００１】
本発明は再生装置に関し、特に、音楽と共に画像を再生するために用いて好適な技術に関する。
【手続補正４】
【補正対象書類名】明細書
【補正対象項目名】０００８
【補正方法】変更
【補正の内容】
【０００８】
本発明の再生装置は、第１の記録媒体から動画データと第１の音楽データを再生する第１の再生手段と、装着された第２の記録媒体から第２の音楽データを再生する第２の再生手段と、動画データと音楽データを出力する出力手段と、前記第１の記録媒体から再生された動画データと第１の音楽データとを前記出力手段により出力しているときに、前記第２の記録媒体が装着されたことに応じて、前記第２の記録媒体から第２の音楽データを再生するように、前記第２の再生手段を制御し、前記第１の音楽データに代えて前記第２の音楽データを出力するように、前記出力手段を制御する制御手段とを備えることを特徴とする。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
第１の記録媒体から動画データと第１の音楽データを再生する第１の再生手段と、
第２の記録媒体から第２の音楽データを再生する第２の再生手段と、
動画データと音楽データを出力する出力手段と、
前記第１の記録媒体から再生された動画データと前記第２の記録媒体から再生された第２の音楽データとを前記出力手段により出力しているときに、前記第２の音楽データを出力できなくなった場合、前記第１の記録媒体から再生された第１の音楽データを再生するように前記第１の再生手段を制御し、前記第２の記録媒体から再生された第２の音楽データに代えて、前記第１の記録媒体から再生された第１の音楽データを出力するように、前記出力手段を制御する制御手段とを備える再生装置。
【請求項２】
前記第１の再生手段は複数のクリップの動画データを前記第１の記録媒体から再生し、前記制御手段は、前記第１の記録媒体から再生された動画データと前記第２の記録媒体から再生された第２の音楽データとを前記出力手段により出力しているときに、前記第２の音楽データを出力できなくなった場合、前記第１の記録媒体から再生された動画データのクリップの切り替わりのタイミングに従って、前記第２の音楽データから前記第１の音楽データに切り替えて出力するように、前記出力手段を制御することを特徴とする請求項１に記載の再生装置。
【請求項３】
前記出力手段は、前記第１の記録媒体から再生された第１の音楽データと、前記第２の記録媒体から再生された第２の音楽データとを記憶するメモリを有し、前記メモリに記憶された第１の音楽データと第２の音楽データの何れかを選択して出力することを特徴とする請求項１または２に記載の再生装置。
【請求項４】
前記メモリは、前記動画データの再生時間分の前記第２の音楽データを記憶可能であることを特徴とする請求項３に記載の再生装置。
【請求項５】
前記制御手段は、前記第１の記録媒体から再生された動画データと前記第２の記録媒体から再生された第２の音楽データとを前記出力手段により出力しているときに、前記第２の音楽データを出力できなくなり、前記第１の記録媒体に音楽データが記録されていない場合には、前記出力手段より出力される音声をミュートするように前記出力手段を制御することを特徴とする請求項１から４の何れか１項に記載の再生装置。
【請求項６】
前記第２の再生手段は、前記再生装置に装着された第２の記録媒体から第２の音楽データを再生し、前記制御手段は、前記第１の記録媒体から再生された動画データと前記第２の記録媒体から再生された第２の音楽データとを前記出力手段により出力している場合に、前記第２の記録媒体が前記再生装置から取り外されたことを検出した場合、前記第２の記録媒体から再生された第２の音楽データに代えて前記第１の記録媒体から再生された第１の音楽データを出力するように、前記第１の再生手段と前記出力手段を制御することを特徴とする請求項１から５の何れか１項に記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００１
【補正方法】変更
【補正の内容】
【０００１】
本発明は再生装置に関し、特に、音楽と共に画像を再生するために用いて好適な技術に関する。
【手続補正４】
【補正対象書類名】明細書
【補正対象項目名】０００７
【補正方法】変更
【補正の内容】
【０００７】
本発明の再生装置は、第１の記録媒体から動画データと第１の音楽データを再生する第１の再生手段と、第２の記録媒体から第２の音楽データを再生する第２の再生手段と、動画データと音楽データを出力する出力手段と、前記第１の記録媒体から再生された動画データと前記第２の記録媒体から再生された第２の音楽データとを前記出力手段により出力しているときに、前記第２の音楽データを出力できなくなった場合、前記第１の記録媒体から再生された第１の音楽データを再生するように前記第１の再生手段を制御し、前記第２の記録媒体から再生された第２の音楽データに代えて、前記第１の記録媒体から再生された第１の音楽データを出力するように、前記出力手段を制御する制御手段とを備える。
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
撮像装置であって、
前記撮像装置の現在位置を取得する第１取得手段と、
前記撮像装置の現在位置を表す位置情報の付加を禁止する禁止領域を指定する情報を記憶する記憶手段と、
前記第１取得手段により取得された前記撮像装置の現在位置が、前記記憶手段に記憶されている前記禁止領域内にあるか否かを判定する判定手段と、
撮像指示の入力に応答して撮像画像データを生成する生成手段とを有し、
前記生成手段は、前記判定手段によって前記撮像指示の現在位置が前記禁止領域内にあると判定された場合は、前記位置情報を付加しない撮像画像データを生成し、前記判定手段によって前記撮像指示の現在位置が前記禁止領域内にないと判定された場合は、前記位置情報を付加した撮像画像データを生成することを特徴とする撮像装置。
【請求項２】
前記位置情報を付加しない場合、前記生成手段が、前記記憶手段が記憶する前記禁止領域を指定する情報に含まれるコメントを付加した撮像画像データを生成することを特徴とする請求項１記載の撮像装置。
【請求項３】
前記撮像指示の入力を待機するスタンバイ状態において、前記判定手段によって前記撮像指示の現在位置が前記禁止領域内にあると判定された場合、撮像画像データに位置情報が付加されないことをユーザに報知する報知手段をさらに有することを特徴とする請求項１又は請求項２記載の撮像装置。
【請求項４】
前記禁止領域を指定する情報を外部装置又は前記撮像装置に装着されている記憶媒体から取得し、前記記憶手段に記憶する第２取得手段を更に有することを特徴とする請求項１乃至請求項３のいずれか１項に記載の撮像装置。
【請求項５】
前記生成手段は、前記判定手段によって前記撮像指示の現在位置が前記禁止領域内にあると判定された場合であっても、予め定められた条件が満たされている場合には、前記位置情報を付加した撮像画像データを生成し、
前記予め定められた条件が、前記撮像画像データから人物の顔が検出されないこと、前記撮像指示の入力時にユーザから予め定められた入力がなされていることの少なくとも一方を含むことを特徴とする請求項１乃至請求項４のいずれか１項に記載の撮像装置。
【請求項６】
撮像装置の現在位置を取得する取得手段を有する撮像装置の制御方法であって、
前記撮像装置の判定手段が、前記取得手段により取得された前記撮像装置の現在位置が、記憶手段に記憶されている禁止領域内にあるか否かを判定する判定ステップと、
前記撮像装置の生成手段が、撮像指示の入力に応答して撮像画像データを生成する生成ステップとを有し、
前記生成ステップで前記生成手段は、前記判定ステップにおいて前記撮像指示の現在位置が前記禁止領域内にあると判定された場合は、前記撮像装置の現在位置を表す位置情報を付加しない撮像画像データを生成し、前記判定ステップにおいて前記撮像指示の現在位置が前記禁止領域内にないと判定された場合は、前記位置情報を付加した撮像画像データを生成することを特徴とする撮像装置の制御方法。
【手続補正２】
【補正対象書類名】明細書
【補正対象項目名】０００９
【補正方法】変更
【補正の内容】
【０００９】
上記目的を達成するため、本発明の撮像装置は、撮像装置の現在位置を取得する第１取得手段と、撮像装置の現在位置を表す位置情報の付加を禁止する禁止領域を指定する情報を記憶する記憶手段と、第１取得手段により取得された撮像装置の現在位置が、記憶手段に記憶されている前記禁止領域内にあるか否かを判定する判定手段と、撮像指示の入力に応答して撮像画像データを生成する生成手段とを有し、生成手段は、判定手段によって撮像指示の現在位置が前記禁止領域内にあると判定された場合は、前記位置情報を付加しない撮像画像データを生成し、判定手段によって撮像指示の現在位置が前記禁止領域内にないと判定された場合は、位置情報を付加した撮像画像データを生成することを特徴とする。
【手続補正３】
【補正対象書類名】明細書
【補正対象項目名】００２７
【補正方法】変更
【補正の内容】
【００２７】
以下同様にして、次のタグ(Tag2)に北緯か南緯かを示す情報タグ、Tag3に緯度タグ、Tag4に東経か西経かを示す情報タグ、そして最後にTag5に経度タグを記録する。緯度、経度は４バイト／４バイトの分数の形式で記録され、５０°１３′は“３０１３”と“６０”、１４０°４８は“８４４８”と“６０”と記録される。
【手続補正４】
【補正対象書類名】明細書
【補正対象項目名】００５２
【補正方法】変更
【補正の内容】
【００５２】
また、現在位置と、上述した、基準位置との緯度方向の距離の差Δｙ、経度方向の距離の差Δｘとが、｜Δｙ｜≦ｒｙかつ｜Δｘ｜≦ｒｘであれば、撮像装置１００が位置情報の付加禁止領域内にあると判定することができる。
本実施形態においても、第１の実施形態と同様の効果を達成できる。
【手続補正５】
【補正対象書類名】明細書
【補正対象項目名】００６７
【補正方法】変更
【補正の内容】
【００６７】
なお、本実施形態では顔の検出有無を例外処理の判定基準として用いたが、他の条件を判定基準として用いてもよい。例えば、撮像指示の入力時に操作部１０７の特定のボタンが押下されて特定の入力がなされている状態で撮像された画像については、位置情報の付加禁止領域内で撮像されても位置情報を付加するように構成してもよい。
本実施形態によれば、上述した実施形態の効果に加え、ユーザの要求に応じて柔軟な処理が可能になる。
【手続補正書】
【提出日】平成24年5月14日(2012.5.14)
【手続補正１】
【補正対象書類名】明細書
【補正対象項目名】００４４
【補正方法】変更
【補正の内容】
【００４４】
ステップ＃３で撮影距離が０．５〜３．０ｍ未満であった場合にはステップ＃５に進む。ステップ＃５では、合焦点デフォーカス量との差が（判別用Ｆ値×０．０３）ｍｍ以上となるような測距点デフォーカス量を持つ測距点３３１が２つ以上であるかどうかが判断される。ここで、デフォーカス量の差が（判別用Ｆ値×０．０３）ｍｍ以上となる測距点３３１が２つ以上であった場合には、撮影シーンは『人物（日中）』であると判別される。また、デフォーカス量の差が（判別用Ｆ値×０．０３）ｍｍ以上となる測距点３３１が１つ以下であった場合は、撮影シーンは『集合写真』であると判別される。本発明のカメラの測光装置を適用した撮像装置１００のＡＥ制御では、以上のように５つの『昼系』シーンを設定している。
【手続補正２】
【補正対象書類名】明細書
【補正対象項目名】００４５
【補正方法】変更
【補正の内容】
【００４５】
次に、ステップ＃１において、測光センサ３２０の７７の各測光領域における被写界輝度ＢＶｉがすべて９．０未満であった場合を考える。この場合には、撮影シーンは大まかに夜間であると言うことができ、ステップ＃６に進む。ステップ＃６では、合焦点デフォーカス量との差が（判別用Ｆ値×０．０３）ｍｍ以内となるような測距点デフォーカス量を持つ測距点３３１が２つ以上であるかが判断される。
【手続補正３】
【補正対象書類名】明細書
【補正対象項目名】００４６
【補正方法】変更
【補正の内容】
【００４６】
ステップ＃６において、デフォーカス量の差が（判別用Ｆ値×０．０３）ｍｍ以内となる測距点３３１が１つ以下であった場合にはステップ＃７に進む。ステップ＃７では、合焦点撮影距離が３．０ｍ以内であるかどうかが判断される。ここで、合焦点撮影距離が３．０ｍ以内であった場合には、撮影シーンは『夜景＆人物』であると判別される。また、合焦点撮影距離が３．０ｍより大きかった場合には、撮影シーンは『夜景＆集合』であると判別される。
【手続補正４】
【補正対象書類名】明細書
【補正対象項目名】００４７
【補正方法】変更
【補正の内容】
【００４７】
またステップ＃６において、デフォーカス量の差が（判別用Ｆ値×０．０３）ｍｍ以内となる測距点３３１が２つ以上であった場合にはステップ＃８に進む。ステップ＃８では、合焦点撮影距離が５．０ｍ以上であるかどうかが判断される。ここで、合焦点撮影距離が５．０ｍ以上であった場合には、撮影シーンは『夜景』であると判別される。また、合焦点撮影距離が５．０ｍ未満であった場合には、撮影シーンは『人物（夜間）』であると判別される。本発明のカメラの測光装置を適用した撮像装置１００のＡＥ制御では、以上のように４つの『夜系』シーンを設定している。
【手続補正５】
【補正対象書類名】図面
【補正対象項目名】図５
【補正方法】変更
【補正の内容】
【図５】
2010268253.tif 000001
【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子で撮像して得られた画像信号に画像処理を施して画像データを生成し、前記画像データに、撮像を行った撮像装置の情報を含むメタデータを添付した画像ファイルを記録部に記録する画像処理部とを備え、
前記メタデータは、前記画像処理部が行う前記画像データに対応した画像を加工する後処理に関する情報を含み、
前記後処理に関する情報は、前記画像処理部が、前記記録部に記録された画像ファイルを読み出し、読み出した前記画像ファイルに含まれる画像データに対して前記後処理を１回以上施し、前記１回以上の後処理の後に生成された新たな画像ファイルを前記記録部に記録する後処理工程の回数を示す後処理工程回数、及び前記後処理工程が行われる前の元画像ファイルに関する情報を有することを特徴とする撮像装置。
【請求項２】
前記後処理に関する情報は、前記後処理工程の内容を示す後処理情報を有することを特徴とする請求項１に記載の撮像装置。
【請求項３】
前記画像処理部は、前記画像ファイルに含まれる前記メタデータに基づいて、前記後処理工程が行われる前の元画像ファイルを検索することを特徴とする請求項１に記載の撮像装置。
【請求項４】
前記撮像装置の情報は、前記撮像装置の機種名、シリアル番号、及び通算撮影枚数に関する情報を有することを特徴とする請求項１に記載の撮像装置。
【請求項５】
前記後処理は、デジタルフィルタ処理、リサイズ、トリミングの少なくとも１つであることを特徴とする請求項１に記載の撮像装置。
【請求項６】
撮像素子で撮像して得られた画像信号に画像処理を施して画像データを生成するステップと、
前記画像データに対応した画像を加工する後処理を行うステップと、
撮像を行った撮像装置の情報を生成するステップと、
前記撮像装置の情報と、前記後処理に関する情報とを含むメタデータを生成するステップと、
前記画像データと前記メタデータとを含む画像ファイルを作成するステップとを備え、
前記後処理に関する情報は、後処理工程回数、及び前記後処理工程が行われる前の元画像ファイルに関する情報を有し、
前記後処理工程は、前記記録部に記録された画像ファイルを読み出し、読み出した前記画像ファイルに含まれる画像データに対して前記後処理を１回以上施し、前記１回以上の後処理の後に生成された新たな画像ファイルを前記記録部に記録する工程であって、
前記後処理工程回数は、後処理工程を実行した回数である画像ファイル生成方法。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
第１の無線通信部と第２の無線通信部とを用いて外部装置と通信可能な撮像装置であって、
撮像処理に関するトリガ信号を受け付ける受付手段と、
前記受付手段により撮像処理に関するトリガ信号を受け付けた場合、前記外部装置に撮像処理に関する動作を行わせるための制御信号を、前記第１の無線通信部を用いて送信するよう制御する第１の送信手段と、
前記第２の無線通信部による通信のための同期信号を、前記第２の無線通信部を用いて周期的に送信するよう制御する第２の送信手段と、
前記第２の無線通信部を用いて前記同期信号を送信する周期に基づき、前記同期信号が送信されるタイミングを避けるように前記第１の無線通信部を用いた制御信号の送信タイミングを決定するタイミング決定手段を有することを特徴とする撮像装置。
【請求項２】
前記第２の無線通信部を用いて前記同期信号を送信するタイミングと前記第１の無線通信部を用いて制御信号を送信するタイミングとが重なると判断された場合、前記タイミング決定手段は、前記第１の無線通信部を用いて制御信号を送信するタイミングを変更することを特徴とする請求項１に記載の撮像装置。
【請求項３】
前記第２の無線通信部を用いて前記同期信号を送信するタイミングと前記第１の無線通信部を用いて制御信号を送信するタイミングとが重なると判断された場合、前記タイミング決定手段は、前記第１の無線通信部を用いて制御信号を送信するタイミングを早めることを特徴とする請求項２に記載の撮像装置。
【請求項４】
前記タイミング決定手段により前記第１の無線通信部を用いて制御信号を送信するタイミングを早める場合、前記第１の送信手段は、前記外部装置に撮像処理に関する動作を行わせるタイミングを遅らせるための情報を含む制御信号を送信することを特徴とする請求項３に記載の撮像装置。
【請求項５】
前記第１の無線通信部と前記第２の無線通信部との無線通信の周波数帯域の少なくとも一部が重なるか否かを判定するチャンネル判定手段をさらに有することを特徴とする請求項１乃至４の何れか１項に記載の撮像装置。
【請求項６】
前記第２の送信手段は、前記同期信号とは別に、前記第２の無線通信部を用いたデータ通信が可能であることを特徴とする請求項１乃至５の何れか１項に記載の撮像装置。
【請求項７】
前記第２の無線通信部を用いたデータ通信は、画像データの送信であることを特徴とする請求項６に記載の撮像装置。
【請求項８】
前記受付手段により撮像処理に関するトリガ信号を受け付けた場合、前記第２の送信手段は前記データ通信を停止し、前記同期信号の送信は行うことを特徴とする請求項６または７に記載の撮像装置。
【請求項９】
前記第１の送信手段はさらに、前記外部装置にパラメータの設定を行わせるための設定信号を送信可能であって、
前記設定信号を送信する場合、前記第２の送信手段は前記データ通信を停止し、前記同期信号の送信は行うことを特徴とする請求項８に記載の撮像装置。
【請求項１０】
前記トリガ信号は、前記撮像装置による撮像の開始を指示する信号であることを特徴とする請求項１乃至９の何れか１項に記載の撮像装置。
【請求項１１】
前記外部装置は発光装置であって、
前記制御信号は前記外部装置に発光を行わせるための信号であることを特徴とする請求項１乃至１０の何れか１項に記載の撮像装置。
【請求項１２】
前記第１の送信手段によって送信される前記発光装置にパラメータの設定を行わせるための設定信号は、前記発光装置の発光量を設定するための信号であることを特徴とする請求項１１に記載の撮像装置。
【請求項１３】
第１の無線通信部と第２の無線通信部とを用いて外部装置と通信可能な撮像装置の制御方法であって、
撮像処理に関するトリガ信号を受け付ける受付ステップと、
前記受付ステップにより撮像処理に関するトリガ信号を受け付けた場合、前記外部装置に撮像処理に関する動作を行わせるための制御信号を、前記第１の無線通信部を用いて送信するよう制御する第１の送信ステップと、
前記第２の無線通信部による通信のための同期信号を、前記第２の無線通信部を用いて周期的に送信するよう制御する第２の送信ステップと、
前記第２の無線通信部を用いて前記同期信号を送信する周期に基づき、前記同期信号が送信されるタイミングを避けるように前記第１の無線通信部を用いた制御信号の送信タイミングを決定するタイミング決定ステップを有することを特徴とする制御方法。
【請求項１４】
第１の無線通信部と第２の無線通信部とを用いて外部装置と通信可能なコンピュータを請求項１乃至１２の何れか１項に記載の撮像装置の各手段として機能させるためのコンピュータ実行可能なプログラム。
【手続補正２】
【補正対象書類名】明細書
【補正対象項目名】０００７
【補正方法】変更
【補正の内容】
【０００７】
本発明は、第１の無線通信部と第２の無線通信部とを用いて外部装置と通信可能な撮像装置であって、撮像処理に関するトリガ信号を受け付ける受付手段と、前記受付手段により撮像処理に関するトリガ信号を受け付けた場合、前記外部装置に撮像処理に関する動作を行わせるための制御信号を、前記第１の無線通信部を用いて送信するよう制御する第１の送信手段と、前記第２の無線通信部による通信のための同期信号を、前記第２の無線通信部を用いて周期的に送信するよう制御する第２の送信手段と、前記第２の無線通信部を用いて前記同期信号を送信する周期に基づき、前記同期信号が送信されるタイミングを避けるように前記第１の無線通信部を用いた制御信号の送信タイミングを決定するタイミング決定手段を有することを特徴とする。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
２次元アレイ状に配列され、光電変換に基づくアナログ画素信号を生成する複数の画素と、
前記２次元アレイ状の画素の列毎に設けられ、前記画素からのアナログ画素信号を、上位ビット及び下位ビットのデジタル信号に時系列に変換するＡ／Ｄ変換器とを有し、
前記Ａ／Ｄ変換器は、
各々が前記上位ビットのデジタル信号を保持する第１の蓄積部と、
各々が前記下位ビットのデジタル信号を保持する第２の蓄積部と、
各々が前記第１の蓄積部からのデジタル信号を保持する第３の蓄積部と、
各々が前記第２の蓄積部からのデジタル信号を保持する第４の蓄積部とを有し、
前記第１の蓄積部と前記第３の蓄積部とを含む第１の対と、前記第２の蓄積部と前記第４の蓄積部とを含む第２の対とは、前記２次元アレイ状の画素の列に沿った方向に配置されていることを特徴とする固体撮像装置。
【請求項２】
前記Ａ／Ｄ変換器は、
前記２次元アレイ状の画素の各列に共通に設けられ、デジタル信号をカウントするカウンタと、
傾きが異なる第１のランプ信号及び第２のランプ信号を生成し、前記２次元アレイ状の画素の各列に共通に設けられた参照信号発生回路とを有し、
前記Ａ／Ｄ変換器は、
前記２次元アレイ状の画素からのアナログ画素信号を行単位で入力し、
前記２次元アレイ状の画素の列毎に前記画素からの信号と前記参照信号発生回路により生成された第１のランプ信号とを比較し、
前記画素からの信号及び前記第１のランプ信号の大きさが逆転したときに、前記カウンタから供給される前記上位ビットのデジタル信号を前記第１の蓄積部に保持させ、
前記画素からの信号と前記参照信号発生回路により生成された第１のランプ信号との差信号を保持し、
その後、予め定めたタイミングで、前記差信号と前記第１のランプ信号より傾きが小さい前記第２のランプ信号とを比較し、
前記差信号及び前記第２のランプ信号の大きさが逆転したときに、前記カウンタから供給される前記下位ビットのデジタル信号を前記第２の蓄積部に保持させることを特徴とする請求項１記載の固体撮像装置。
【請求項３】
前記第１の蓄積部、前記第３の蓄積部、前記第２の蓄積部及び前記第４の蓄積部は、この順で前記２次元アレイ状の画素の列に沿った方向に隣接配置されていることを特徴とする請求項１又は２記載の固体撮像装置。
【請求項４】
前記第１の対をなす前記第１の蓄積部と前記第３の蓄積部とは、前記２次元アレイ状の画素の行に沿った方向に隣接配置され、
前記第２の対をなす前記第２の蓄積部と前記第４の蓄積部とは、前記２次元アレイ状の画素の行に沿った方向に隣接配置されていることを特徴とする請求項１又は２記載の固体撮像装置。
【請求項５】
前記第１の蓄積部、前記第２の蓄積部、前記第３の蓄積部及び前記第４の蓄積部は、前記第１の蓄積部、前記第３の蓄積部、前記第４の蓄積部及び前記第２の蓄積部の順で、又は前記第３の蓄積部、前記第１の蓄積部、前記第２の蓄積部及び前記第４の蓄積部の順で、前記２次元アレイ状の画素の列に沿った方向に隣接配置されていることを特徴とする請求項１又は２記載の固体撮像装置。
【請求項６】
前記第１の対をなす前記第１の蓄積部と前記第３の蓄積部とは、前記２次元アレイ状の画素の行に沿った方向に隣接配置され、
前記第２の対をなす前記第２の蓄積部と前記第４の蓄積部とは、前記２次元アレイ状の画素の行に沿った方向に隣接配置され、
さらに、
前記カウンタ及び前記第１の蓄積部を接続する第１のデータ線と、
前記カウンタ及び前記第２の蓄積部を接続する第２のデータ線と、
前記第３の蓄積部からデジタル信号を出力する第１の出力線と、
前記第４の蓄積部からデジタル信号を出力する第２の出力線とを有し、
前記第１のデータ線、前記第２のデータ線、前記第１の出力線及び前記第２の出力線は、前記第１のデータ線、前記第１の出力線、前記第２の出力線、前記第２のデータ線の順、又は、前記第１の出力線、前記第１のデータ線、前記第２のデータ線、前記第２の出力線の順で配置されることを特徴とする請求項２記載の固体撮像装置。
【請求項７】
前記Ａ／Ｄ変換器は、前記２次元アレイ状の画素から行単位で入力されるアナログ画素信号を、上位ビット及び下位ビットのデジタル信号に時系列に変換する間に、前記第３の蓄積部及び前記第４の蓄積部から前記２次元アレイ状の画素の１行前のアナログ／デジタル変換したデジタル信号を順次出力することを特徴とする請求項１〜６のいずれか１項に記載の固体撮像装置。
【請求項８】
前記Ａ／Ｄ変換器は、
前記２次元アレイ状の画素の各列に共通に設けられ、デジタル信号をカウントするカウンタと、
前記第３の蓄積部及び前記第４の蓄積部に保持されたデジタル信号が出力されるデジタル出力部とを有し、
前記画素の列毎の前記第１の蓄積部、前記第２の蓄積部、前記第３の蓄積部及び前記第４の蓄積部は、前記カウンタ及び前記デジタル出力部に挟まれて配置されていることを特徴とする請求項１記載の固体撮像装置。
【請求項９】
前記第１の蓄積部、前記第２の蓄積部、前記第３の蓄積部及び前記第４の蓄積部は、ラッチ回路であることを特徴とする請求項１〜８のいずれか１項に記載の固体撮像装置。
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
デジタルテレビジョン放送信号に多重化されたメタデータに含まれる映像の全体領域及び部分領域の情報を抽出する抽出手段と、
ユーザの表示領域選択時に、前記抽出された全体領域及び部分領域の情報から映像表示装置の画面上に表示する表示領域を導出する制御手段と、
前記導出された表示領域を表示する表示手段と、
を備えることを特徴とする映像表示装置。
【請求項２】
前記制御手段は、前記全体領域を前記表示領域として導出することを特徴とする、請求項１に記載の映像表示装置。
【請求項３】
前記制御手段は、全ての前記部分領域の面積の合計と前記全体領域の面積との比が所定の閾値以上であることを前記全体領域を前記表示領域として導出する判断基準とすることを特徴とする、請求項２に記載の映像表示装置。
【請求項４】
前記制御手段は、複数の前記部分領域を含む単位領域を前記表示領域として導出することを特徴とする、請求項１に記載の映像表示装置。
【請求項５】
前記制御手段は、全ての前記部分領域の面積の合計と前記全体領域の面積との比が所定の閾値未満であり、かつ、全ての前記部分領域の面積の合計と前記単位領域の面積との比が所定の閾値以上である、ことを前記単位領域を前記表示領域として導出する判断基準とすることを特徴とする、請求項４に記載の映像表示装置。
【請求項６】
前記制御手段は、各々の前記部分領域をマルチ画面表示するよう前記表示手段に指示することを特徴とする、請求項１に記載の映像表示装置。
【請求項７】
前記制御手段は、全ての前記部分領域の面積の合計と前記全体領域の面積との比が所定の閾値未満であり、かつ、全ての前記部分領域の面積の合計と前記単位領域の面積との比が所定の閾値未満である、ことを各々の前記部分領域をマルチ画面表示するよう前記表示手段に指示する判断基準とすることを特徴とする、請求項６に記載の映像表示装置。
【請求項８】
前記制御手段は、前記部分領域相互間の距離を導出し、近接度の高い部分領域同士で前記単位領域を構成したマルチ画面を表示するよう前記表示手段に指示することを特徴とする、請求項６に記載の映像表示装置。
【請求項９】
前記制御手段は、前記部分領域相互間の位置関係を維持したマルチ画面表示をするよう前記表示手段に指示することを特徴とする請求項６乃至８のいずれか１項に記載の映像表示装置。
【請求項１０】
デジタルテレビジョン放送信号に多重化されたメタデータに含まれる映像の全体領域及び部分領域の情報を抽出する抽出工程と、
ユーザの表示領域選択時に、前記抽出された全体領域及び部分領域の情報から、映像表示装置の画面上に表示する表示領域を導出する制御工程と、
前記導出された表示領域を表示手段によって表示する表示工程と、
を有することを特徴とする映像表示装置の制御方法。
【請求項１１】
前記制御工程では、前記全体領域を前記表示領域として導出することを特徴とする、請求項１０に記載の映像表示装置の制御方法。
【請求項１２】
前記制御工程では、全ての前記部分領域の面積の合計と前記全体領域の面積との比が所定の閾値以上であることを前記全体領域を前記表示領域として導出する判断基準とすることを特徴とする、請求項１１に記載の映像表示装置の制御方法。
【請求項１３】
前記制御工程では、複数の前記部分領域を含む単位領域を前記表示領域として導出することを特徴とする、請求項１０に記載の映像表示装置の制御方法。
【請求項１４】
前記制御工程では、全ての前記部分領域の面積の合計と前記全体領域の面積との比が所定の閾値未満であり、かつ、全ての前記部分領域の面積の合計と前記単位領域の面積との比が所定の閾値以上である、ことを前記単位領域を前記表示領域として導出する判断基準とすることを特徴とする、請求項１３に記載の映像表示装置の制御方法。
【請求項１５】
前記制御工程では、各々の前記部分領域をマルチ画面表示するよう前記表示手段に指示することを特徴とする、請求項１０に記載の映像表示装置の制御方法。
【請求項１６】
前記制御工程では、全ての前記部分領域の面積の合計と前記全体領域の面積との比が所定の閾値未満であり、かつ、全ての前記部分領域の面積の合計と前記単位領域の面積との比が所定の閾値未満である、ことを各々の前記部分領域をマルチ画面表示するよう前記表示手段に指示する判断基準とすることを特徴とする、請求項１５に記載の映像表示装置の制御方法。
【請求項１７】
前記制御工程では、前記部分領域相互間の距離を導出し、近接度の高い部分領域同士で前記単位領域を構成したマルチ画面を表示するよう前記表示手段に指示することを特徴とする、請求項１５に記載の映像表示装置の制御方法。
【請求項１８】
前記制御工程では、前記部分領域相互間の位置関係を維持したマルチ画面表示をするよう前記表示手段に指示することを特徴とする請求項１５乃至１７のいずれか１項に記載の映像表示装置の制御方法。
【手続補正２】
【補正対象書類名】明細書
【補正対象項目名】０００５
【補正方法】変更
【補正の内容】
【０００５】
本発明に係る映像表示装置は、デジタルテレビジョン放送信号に多重化されたメタデータに含まれる映像の全体領域及び部分領域の情報を抽出する抽出手段と、ユーザの表示領域選択時に、前記抽出された全体領域及び部分領域の情報から映像表示装置の画面上に表示する表示領域を導出する制御手段と、前記導出された表示領域を表示する表示手段と、を備えることを特徴とする。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
画像データからオブジェクトを抽出するオブジェクト抽出手段と、
前記オブジェクト抽出手段によって抽出されたオブジェクトから、前記オブジェクトの信頼度に応じて特徴部分を抽出する特徴抽出手段と、
前記特徴抽出手段によって抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理手段とを有することを特徴とする画像処理装置。
【請求項２】
前記画像処理手段は、前記特徴部分の動き情報に基づいて、前記過去の画像データに含まれる前記特徴部分であるオブジェクトに対してマスキング処理を行うことを特徴とする請求項１に記載の画像処理装置。
【請求項３】
前記特徴抽出手段は、前記オブジェクトの信頼度が所定の値以上である場合に特徴部分として抽出し、
前記画像処理手段は、前記過去の画像データにおいて前記特徴部分であるオブジェクトの信頼度が所定の値未満である場合に、前記オブジェクトに対してもマスキング処理を行うことを特徴とする請求項１に記載の画像処理装置。
【請求項４】
被写体を撮像して画像データを生成する撮像手段と、
前記撮像手段により生成された画像データからオブジェクトを抽出するオブジェクト抽出手段と、
前記オブジェクト抽出手段によって抽出されたオブジェクトから、前記オブジェクトの信頼度と前記撮像手段の撮像情報とに基づいて特徴部分を抽出する特徴抽出手段と、
前記特徴抽出手段によって抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理手段とを有することを特徴とする画像処理装置。
【請求項５】
前記撮像情報は、フォーカス情報であることを特徴とする請求項４に記載の画像処理装置。
【請求項６】
前記撮像情報は、撮影モードであることを特徴とする請求項４に記載の画像処理装置。
【請求項７】
前記オブジェクト抽出手段によって抽出されるオブジェクトは、個人を特定するプライバシー情報であることを特徴とする請求項１〜６の何れか１項に記載の画像処理装置。
【請求項８】
画像データからオブジェクトを抽出するオブジェクト抽出工程と、
前記オブジェクト抽出工程において抽出されたオブジェクトから、前記オブジェクトの信頼度に応じて特徴部分を抽出する特徴抽出工程と、
前記特徴抽出工程において抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理工程とを有することを特徴とする画像処理方法。
【請求項９】
被写体を撮像して画像データを生成する撮像工程と、
前記撮像工程において生成された画像データからオブジェクトを抽出するオブジェクト抽出工程と、
前記オブジェクト抽出工程において抽出されたオブジェクトから、前記オブジェクトの信頼度と前記撮像工程における撮像情報とに基づいて特徴部分を抽出する特徴抽出工程と、
前記特徴抽出工程によって抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理工程とを有することを特徴とする画像処理方法。
【請求項１０】
画像データからオブジェクトを抽出するオブジェクト抽出工程と、
前記オブジェクト抽出工程において抽出されたオブジェクトから、前記オブジェクトの信頼度に応じて特徴部分を抽出する特徴抽出工程と、
前記特徴抽出工程において抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理工程とをコンピュータに実行させることを特徴とするプログラム。
【請求項１１】
被写体を撮像して画像データを生成する撮像工程と、
前記撮像工程において生成された画像データからオブジェクトを抽出するオブジェクト抽出工程と、
前記オブジェクト抽出工程において抽出されたオブジェクトから、前記オブジェクトの信頼度と前記撮像工程における撮像情報とに基づいて特徴部分を抽出する特徴抽出工程と、
前記特徴抽出工程によって抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理工程とをコンピュータに実行させることを特徴とするプログラム。
【請求項１２】
請求項１０又は１１に記載のプログラムを記憶したことを特徴とするコンピュータ読み取り可能な記憶媒体。
【手続補正２】
【補正対象書類名】明細書
【補正対象項目名】００１０
【補正方法】変更
【補正の内容】
【００１０】
本発明の画像処理装置は、画像データからオブジェクトを抽出するオブジェクト抽出手段と、前記オブジェクト抽出手段によって抽出されたオブジェクトから、前記オブジェクトの信頼度に応じて特徴部分を抽出する特徴抽出手段と、前記特徴抽出手段によって抽出された特徴部分を含むオブジェクトに対してマスキング処理を行うとともに、前記画像データよりも過去の画像データに含まれる、前記特徴部分として抽出される前の同じオブジェクトに対してマスキング処理を行う画像処理手段とを有することを特徴とする。